(57)【特許請求の範囲】
【請求項１】
発光灯（３０）に基づいて拡散反射光を発生させる方法であって、
Ａ．連結器（２０）により反射板（１０）を取外し可能に前記発光灯（３０）に固定する手順と、
Ｂ．引張装置（４０）を用いる手順と、を含み、
該引張装置（４０）の一端は、前記反射板（１０）に連結または周回され、その他端は前記連結器（２０）に連結されており、これにより、前記反射板（１０）が弾性的に前へ湾曲されて、拡散反射光を集光し、
前記引張装置（４０）は、半透明のソフトライトカバー（４０４）であり、その上端は前記反射板（１０）に連結または周回され、両側も前記反射板（１０）に連結または周回され、下端は前記連結器（２０）に連結されて、拡散反射光を集光することを特徴とする拡散反射光を発生させる方法。
【請求項２】
前記引張装置（４０）は造型帯（４０５）であり、その一端は、前記反射板（１０）の上部に連結および／または周回され、他端は前記連結器（２０）に連結されて、拡散反射光を集光することを特徴とする請求項１に記載の拡散反射光を発生させる方法。
【請求項３】
前記手順Ａにおいて、前記反射板（１０）の根部と前記発光灯（３０）の間に連結角度調節装置（９０）を更に設け、前記反射板（１０）と前記発光灯（３０）の連結時の連結角度γの調節に用いることを特徴とする請求項１〜請求項２の何れか１項に記載の拡散反射光を発生させる方法。
【請求項４】
前記ソフトライトカバー（４０４）のサイズを変更し、または連結器（２０）に連結される高低位置を改変することで、前記反射板（１０）が異なる程度で湾曲され、これにより、等価発光面積を変更させることを特徴とする請求項１に記載の拡散反射光を発生させる方法。
【請求項５】
前記造型帯（４０５）の長さを調節、または連結器（２０）に連結される高低位置を変更することで、前記反射板（１０）が異なる程度で湾曲され、これにより、等価発光面積を変更させることを特徴とする請求項２に記載の拡散反射光を発生させる方法。
【請求項６】
発光灯（３０）を含む拡散反射光発生装置であって、
前記発光灯（３０）の光線を反射する反射板（１０）と、
反射板（１０）と前記発光灯（３０）を一体に連結する連結器（２０）と、
反射板（１０）を弾性的に前へ湾曲させる引張装置（４０）と、を更に含み、
前記反射板（１０）は連結器（２０）を通じて取外し可能に発光灯（３０）に固定されて、前記発光灯（３０）の光線を反射しており、
前記引張装置（４０）の一端は前記反射板（１０）に連結または周回され、他端は前記連結器（２０）に連結され、これにより、前記反射板（１０）が弾性的に前へ湾曲されて、反射板（１０）が円弧面を形成し、
前記引張装置（４０）は、半透明のソフトライトカバー（４０４）であり、前記ソフトライトカバー（４０４）の上端は前記反射板（１０）に連結または周回され、かつ、両側も前記反射板（１０）に連結または周回され、その下端は前記連結器（２０）に連結されており、これにより、前記反射板（１０）を弾性的に前へ湾曲させ、拡散反射光を集光することを特徴とする拡散反射光発生装置。
【請求項７】
前記引張装置（４０）は造型帯（４０５）であり、その一端は、前記反射板（１０）の上部に連結および／または周回され、他端は前記連結器（２０）に連結されて、拡散反射光を集光することを特徴とする請求項６に記載の拡散反射光発生装置。
【請求項８】
前記反射板（１０）は、円形、楕円形または多角形であり、その自然状態が平板状態であることを特徴とする請求項６〜請求項７の何れか１項に記載の拡散反射光発生装置。
【請求項９】
前記反射板（１０）は透かし彫り板であることを特徴とする請求項８に記載の拡散反射光発生装置。
【請求項１０】
前記反射板（１０）の表面には反射薄膜（１０１）が粘着されていることを特徴とする請求項９に記載の拡散反射光発生装置。
【請求項１１】
前記反射板（１０）は折畳み式であり、その折畳み部位はヒンジまたは軟性の折畳み可能な材料により連結されていることを特徴とする請求項８に記載の拡散反射光発生装置。
【請求項１２】
前記連結器（２０）は端部にナイロン製留金、粘着面、弾性係止ボタン、ワンタッチ式ボタンが設けられている結束バンドまたは伸縮帯であり、若しくは、締付構造、ワンタッチ式ネジであることを特徴とする請求項６〜請求項７の何れか１項に記載の拡散反射光発生装置。
【請求項１３】
前記ソフトライトカバー（４０４）のサイズを変更または連結器（２０）に連結される高低位置を改変することで、前記反射板（１０）が異なる程度で湾曲され、これにより、等価発光面積を変更させることを特徴とする請求項６に記載の拡散反射光発生装置。
【請求項１４】
前記造型帯（４０５）の長さを調節または連結器（２０）に連結されている高低位置を変更することで、前記反射板（１０）が異なる程度で湾曲され、これにより、等価発光面積を変更させることを特徴とする請求項７に記載の拡散反射光発生装置。
【請求項１５】
連結角度調節装置（９０）を更に含み、該装置は前記発光板（１０）の根部と発光灯（３０）の間に設けられていることを特徴とする請求項６〜請求項７の何れか１項記載の拡散反射光発生装置。
【発明の詳細な説明】
【技術分野】
【０００１】
本発明は照明装置に関し、特に拡散反射光を発生させる方法と拡散反射光発生装置に関する。
【背景技術】
【０００２】
撮影過程では、普段ランプボックス、反射とソフトライト装置を使用し、特に芸術関係の撮影では、ソフトライト効果はソフトライト装置のソフトライト面積と非常に大きく関連する。ソフトライト面積が大きいほどソフトライト効果がよくなる。従来技術のソフトライト装置の種類、長所、及び短所を下記に示す。
【０００３】
１、通常のランプボックス、ソフトライトボックス、ソフトライト傘と反射傘は、その反射、ソフトライト材料の面積が非常に大きく、元の光源の発光面積より１〜３桁以上大きくなり、そのソフトライト効果が非常に優れるとの長所を有しているものの、着脱が比較的面倒で、移動が頻繁な場合と戸外で使用するとき、時間と力が必要で、特にソフトライトボックスを取付ける際には、所定のテクニックが必要で、扱いにくく、かつ全体の装置が重くて、携帯して使用することが困難で、その移動が更に不便になるため、従来の装置は、室内または固定位置での使用に適し、戸外での使用が非常に不便である短所がある。
【０００４】
２、通常の外付け式装置の頂部光源の反射板、ソフトライト装置は、軽量で、携帯可能で、移動が頻繁な場合と戸外での使用が可能な長所を有するものの、反射、ソフトライト材料の面積が非常に小さく、発光源の発光面積に比べて、同一桁内に含まれ、ほぼ点光源に属し、ソフトライト効果が非常に悪い短所がある。また、軽量型ソフトライト装置を取付ける際に、元の光源が有する性能の使用を妨害することもある。
【０００５】
３、従来技術のランプボックス、ソフトライトと反射装置の反射板は使用時に固定状態になって、面積が変わらないため、等価発光面積の調節が不可能である。
【０００６】
４、撮影、撮像において、被写体上の光点形状はランプボックス外形のマッピングであり、例えば、人物眼球上の光点がランプボックスの外形をマッピングし、従来の支持捧の外部カバーの反射カバーとソフトライトカバーのソフトボックス技術の原理及び傘の原理がほぼ同様で、その反射カバーは内表面に反射材料が塗布されている薄い柔軟繊維材料からなり、反射カバーの端部は角状で、支持捧の端部は反射カバー端部の角箇所に当接し、支持捧は反射カバーを傘状に開いて反射面を形成し、反射カバーは支持捧の張力を受けており、そのソフトライトカバーは力を受けずに傘状の開口部に設けられ、ソフトライトカバーの構造とサイズは固定されており、該方法は傘状に対称する構造および受力状態で、発光ランプが傘状構造の中心位置に配置されている。従って、該方法によれば、等価発光面が多角形のソフトライトボックスのみを製造することができ、被写体上には多角形の光点がマッピングされ、該方法により製造されたソフトライトボックの等価発光面積とライトの照射主方向は固定されている。
【発明の概要】
【発明が解決しようとする課題】
【０００７】
本発明は、前記従来技術の不足点を解決し、かつ従来技術に対して更なる改善を行うため、着脱が便利で、ソフトライト面積が大きく、ソフトライト効果が優れ、かつ等価発光面積と灯光の照射主方向の調節が可能な拡散反射光を発生させる方法、および該方法により設計された頻繁な移動に適切な拡散反射光発生装置を提供する。
【課題を解決するための手段】
【０００８】
本発明の拡散反射光を発生させる方法は、発光灯に基づいて、
Ａ．連結器により反射板を発光灯に取外し可能に固定する手順と、
Ｂ．引張装置を利用する手順と、を含み、該引張装置（４０）の上端が前記反射板（１０）に連結又は周回され、その下端が前記連結器（２０）に連結されており、若しくは、引張装置（４０）は前記反射板（１０）の外縁部に外嵌して、反射板を弾性的に前に湾曲させ、拡散反射光線を集光させる。
前記手順Ｂでは、更に引張装置により、前記反射板を縦方向または横方向へ弾性的に前に湾曲させ、拡散反射光線を集光させる。
前記反射板は、中実板を利用し、その表面は凹凸顆粒状になり、表面には反射材料が更に被覆されている。
前記反射板の背面には、増強板および／または増強リブが設けられている。
【０００９】
また、好ましくは、前記反射板として透かし彫り板を利用し、その表面には反射薄膜が被覆され、反射板背面の透かし彫られていない箇所には増強リブおよび／または増強板が設けられている。
前記反射板は折畳み式であり、そのブレードの２つずつ折畳まれる部位はヒンジまたは折畳み可能な軟性材料により連結されている。
折畳み式反射板として、好ましくは、反射板の折畳み部位に係止ボタンを設け、反射板の各ブレードを湾曲させた後に同一曲面に位置させる。
また、好ましくは、前記反射板の縁部に切欠き部を設け、切欠き部を反射薄膜で被覆する。
【００１０】
前記連結器は、端部にナイロン製留金、粘着面、弾性係止ボタン、ワンタッチ式ボタンが設けられている結束バンドまたは伸縮帯で、または締付構造、ワンタッチ式ネジである。
前記引張装置として半透明のソフトライトカバーを用いた場合、その上端が反射板に連結又は周回され、両側も反射板に連結又は周回され、下端が前記連結器に連結されており、若しくは、記反射板の外縁部に外嵌している。前記ソフトライトカバーのサイズが変更されて、前記反射板が異なる程度に湾曲されることにより、等価発光面積が変更され、拡散反射効果が生じ、ソフト照明が発生する。
【００１１】
改良された引張装置として造型帯を用いた場合、その一端が前記反射板の上部に連結および／または周回され、他端は前記連結器に連結されており、若しくは、該造型帯の両端はそれぞれ前記反射板の両側に連結または周回され、若しくは、該造型帯が前記反射板の外縁部に外嵌している。前記反射板が異なる程度に湾曲されるように前記造型帯の長さを調節し、これにより、等価発光面積が変更されて、拡散反射効果が生じる。
【００１２】
前記手順Ａを実施するとき、反射板の根部と発光灯の間には連結角度調節装置が更に増設されて、反射板と発光灯が連結する際の連結角度γの調節に利用される。
前記連結角度調節装置は楔形パッドであり、該楔形パッドの高さおよび／または上、下辺の長さを調節して、反射板と発光灯の間の連結角度γを調整することができる。
【００１３】
前記拡散反射光の発生方法を実施するため、本発明は該方法により拡散反射光を発生する装置を提供する。本発明の装置は、発光灯を含み、特に、前記発光灯の光線を反射する反射板と、反射板と前記発光灯を一体に連結する連結器と、反射板を弾性的に前へ湾曲させる引張装置とを更に含み、前記反射板は連結器により取外し可能に発光灯に固定されて、発光灯の光線の反射に用いられる。前記引張装置の一端は前記反射板に連結または周回され、他端は前記連結器に連結されており、若しくは、前記引張装置は前記反射板の外縁部に外嵌する。これにより、前記反射板が弾性的に前へ湾曲されて、反射板が円弧面を形成することができる。
【００１４】
前記反射板は円形、楕円形または多角形で、自然状態では平板形状を示している。
前記反射板は金属板、プラスチック板または繊維板である。
反射板としての１つの実施方法において、前記反射板が中実板を用いた場合、表面は凹凸顆粒状を形成し、表面には反射材料が被覆され、反射板の背面には増強板および／または増強リブが設けられている。
反射板としての他の１つの実施方法において、前記反射板が透かし彫り板用いた場合、表面には反射薄膜が被覆され、背面の透かし彫られていない箇所には増強リブおよび／または増強板が設けられている。
反射板としての更なる改善において、反射板は折畳み式で、その折畳み部位はヒンジまたは軟性折畳み可能材料により連結されている。
【００１５】
前記反射板の折畳み端部には係止ボタンが設けられて、反射板の各ブレードを湾曲させた後に同一曲面に位置させることができる。
その改善された点として、前記反射板の縁部には切欠き部が設けられ、切欠き部は反射薄膜により被覆されている。
前記連結器は、端部にナイロン製留金、粘着面、弾性係止ボタン、ワンタッチ式ボタンが設けられている結束バンドまたは伸縮帯で、または締付構造、ワンタッチ式ネジである。
【００１６】
前記引張装置が半透明のソフトライトカバーを用いた場合、該ソフトライトカバーの上端は反射板に連結または周回され、両側も反射板に連結または周回され、下端は前記連結器に連結されており、または反射板の外縁部に外嵌する。前記ソフトライトカバーのサイズを変更することで、前記反射板が異なる程度で湾曲され、これにより、等価発光面積が変更されて、拡散反射効果が生じ、ソフト照明が発生する。
前記ソフトライトカバーの周縁部には開口された中空位置決め縁条が設置され、その内部には引張帯が挿入されており、前記引張帯の両端は中空位置決め縁条の開口部で連結され、該引張帯を調節することで前記ソフトライトカバーが前記反射板に堅固に外嵌することができる。
前記引張帯は伸縮帯、粘着係止帯または縄である。
【００１７】
前記ソフトライトカバーは連結粘着ボタンを更に含み、該連結粘着ボタンは前記連結器に固定されて、ソフトライトカバーを固定する。前記連結粘着ボタンは粘着ボタン、押しボタン、鈎ボタンまたは締め帯である。
引張装置としての改善において、前記引張装置が造型帯を用いた場合、その一端は前記反射板の上部に連結および／または周回され、他端は前記連結器に連結されており、または該造型帯の両端はそれぞれ前記反射板での両側に連結または周回されており、または該造型帯は前記反射板の外縁部に外嵌する。前記造型帯の長さを調節して前記反射板を異なる程度に湾曲させることができ、これにより、等価発光面積が変更され、拡散反射効果が生じる。
【００１８】
前記造型帯は位置決め粘着ボタンを更に含み、該位置決め粘着ボタンは前記連結器に粘着されて、造型帯を固定する。前記位置決め粘着ボタンは粘着ボタン、押しボタン、鈎ボタンまたは締め帯である。
前記拡散反射光発生装置は前記発光板の根部と発光灯の間に設けられている連結角度調節装置を更に含む。
前記連結角度調節装置は楔形パッドであり、該楔形パッドの高さおよび／または上、下辺の長さを調節して、反射板と発光灯の間の連結角度γを調整することができる。
前記楔形パッドは矩形ブロックで、断面が台形である２つブロックにより構成されている。
【００１９】
前記連結器は第１固定支持フレームを更に含み、該支持フレームは連結器に取り付けられて、取付け支持フレームとされ、または前記拡散反射光発生装置の支持に用いられる。
固定支持フレームとしての更なる改善において、前記連結器は第２固定支持フレームを更に含み、前記連結器は前記第２固定支持フレームと発光灯を一体に固接し、前記第２固定支持フレームの一端は前記反射板の中央部に取外し可能に固定されている。第２固定支持フレームの固定を実現するため、前記第２固定支持フレームの一端はＬ型フックに設けられ、前記反射板の中央部に嵌め込まれて前記反射板に係止されている。前記連結器は発光灯パッドを更に含み、該発光灯パッドは前記連結器と前記発光灯の間に設けられている。前記連結器は位置決めパッドを更に含み、該位置決めパッドは前記連結器と前記反射板の間に設けられている。
【００２０】
本発明は従来技術に比べて下記のような優れる効果を有する。
構造が簡単で、着脱が便利になる。従来技術ではランプボックス、ソフトライトボックス、ソフトライト傘と反射傘の着脱が面倒で、特に、ソフトライトボックスの取付けが把握しにくくなり、戸外での使用が不便になっているが、本発明は連結器により反射板を発光灯に取外し可能に固定することができ、更に引張装置を通じて反射板の曲面に対して調節を行うことができ、構造の実現が非常に簡単で、着脱が非常に便利で、室内、戸外での使用が便利になる。
等価発光面積を調節することができる。従来技術では反射装置、ソフトライド装置を取付けた後、反射板が変化しないため、その等価発光面積の調節が不可能になっているが、本発明による方法と装置は使用過程で、反射板の曲面に対する調節を通じて、反射装置、ソフトライト装置の等価発光面積を調節して、異なる環境での使用需要に適している。
ソフトライト面積が大きく、効果が優れ、軽量で、かつ移動が便利な特徴を同時に有している。従来技術による反射装置、ソフトライト装置の反射・ソフトライト面積が非常に大きいため、着脱が面倒で、または移動を便利にさせるため反射・ソフトライトの面積を非常に小さくする場合があるが、本発明による方法と装置は簡単な連結器装置を通じて反射板と発光灯を一体に移動可能に連結するため、軽量で、移動可能な特徴を有すると同時に、引張装置は発光板の曲面の大きさを調節することができ、ソフトライト傘と反射傘の面積が大きい特徴を兼備している。
【図面の簡単な説明】
【００２１】
【図１】図１は、本発明の拡散反射光を発生する造型装置（ソフトライトカバーを用い、縦方向で引張った場合）の軸側投影図である。
【図２】図２は、前記拡散反射光を発生する造型装置（ソフトライトカバーを用い、縦方向で引張った場合）の正面図である。
【図３】図３は、前記拡散反射光を発生する造型装置（ソフトライトカバーを用い、縦方向で引張った場合）の左側面図である。
【図４】図４は、図２のＡ−Ａ線に沿う断面図である。
【図５】図５は、前記拡散反射光を発生する造型装置（ソフトライトカバーを用い、縦方向で引張った場合）の背面図である。
【図６】図６は、前記拡散反射光を発生する造型装置（縦方向で造型帯を使用した場合）の軸側投影図である。
【図７】図７は、前記拡散反射光を発生する造型装置（縦方向で造型帯を使用した場合）の正面図である。
【図８】図８は、前記拡散反射光を発生する造型装置（縦方向で造型帯を使用した場合）の左側面図である。
【図９】図９は、前記拡散反射光を発生する造型装置（縦方向で造型帯を使用した場合）の背面図である。
【図１０】図１０は、前記拡散反射光を発生する造型装置（ソフトライトカバーと楕円状反射板を用い、横方向で引張った場合）の正面図である。
【図１１】図１１は、前記拡散反射光を発生する造型装置（ソフトライトカバーと楕円状反射板を用い、横方向で引張った場合）の左側面図である。
【図１２】図１２は、前記拡散反射光を発生する造型装置（ソフトライトカバーと楕円状反射板を用い、横方向で引張った場合）の平面図である。
【図１３】図１３は、前記拡散反射光を発生する造型装置（ソフトライトカバーと楕円状反射板を用い、横方向で引張った場合）の背面図である。
【図１４】図１４は、前記拡散反射光を発生する造型装置（横方向で造型帯を使用した場合）の正面図である。
【図１５】図１５は、前記拡散反射光を発生する造型装置（横方向で造型帯を使用した場合）の左側面図である。
【図１６】図１６は、前記拡散反射光を発生する造型装置（横方向で造型帯を使用した場合）の平面図である。
【図１７】図１７は、前記拡散反射光を発生する造型装置（横方向で造型帯を使用した場合）の背面図である。
【図１８】図１８は、前記拡散反射光を発生する造型装置の透かし彫り形式での反射板の軸側投影図である。
【図１９】図１９は、前記拡散反射光を発生する造型装置の透かし彫り形式での反射板の正面図である。
【図２０】図２０は、前記拡散反射光を発生する造型装置の透かし彫り形式での反射板の背面図である。
【図２１】図２１は、前記拡散反射光を発生する造型装置の中実形式での反射板（増強板が設けられている）の軸側投影図である。
【図２２】図２２は、前記拡散反射光を発生する造型装置の中実形式での反射板（増強リブが設けられている）の軸側投影図である。
【図２３】図２３は、前記拡散反射光を発生する造型装置の透かし彫り形式での反射板（増強リブが設けられている）の軸側投影図である。
【図２４】図２４は、前記拡散反射光を発生する造型装置の透かし彫り形式での反射板（増強板が設けられている）の軸側投影図である。
【図２５】図２５は、前記拡散反射光を発生する造型装置のソフトライトカバーの正面図である。
【図２６】図２６は、前記拡散反射光を発生する造型装置のソフトライトカバーの左側面図である。
【図２７】図２７は、前記拡散反射光を発生する造型装置のソフトライトカバーの背面図である。
【図２８】図２８は、前記拡散反射光を発生する造型装置の第１固定支持フレームと連結器の一部の軸側投影図である。
【図２９】図２９は、前記拡散反射光を発生する造型装置の第１固定支持フレームと連結器（ワンタッチ式ネジ固定方式を用いた場合）の一部の軸側投影図である。
【図３０】図３０は、前記拡散反射光を発生する造型装置の連結角度調節装置（楔形ブロックの場合）の軸側投影図である。
【図３１】図３１は、前記拡散反射光を発生する造型装置の反射板の湾曲程度の変化前後の等価発光面積Ｓの変化を示す図である。
【図３２】図３２は、前記拡散反射光を発生する造型装置の反射板の湾曲程度の変化前後の等価発光面積Ｓの変化を示す図である。
【図３３】図３３は、前記拡散反射光を発生する造型装置（第２固定支持フレームが反射板の中央部に固定された場合での実施方法、反射板が矩形で、引張装置がソフトライトカバーの場合）の２つ異なる角度での軸側投影図である。
【図３４】図３４は、前記拡散反射光を発生する造型装置（第２固定支持フレームが反射板の中央部に固定された場合での実施方法、反射板が矩形で、引張装置がソフトライトカバーの場合）の２つ異なる角度での軸側投影図である。
【図３５】図３５は、図３３および図３４に示された前記造型装置の反射板の軸側投影図である。
【図３６】図３６は、前記拡散反射光を発生する造型装置の第２固定支持フレームと連結器の位置部の軸側投影図である。
【図３７】図３７は、前記拡散反射光を発生する造型装置の第２固定支持フレームの軸側投影図である。
【発明を実施するための形態】
【００２２】
下記では図面と優れる実施例を用いて更に詳しく説明する。
図１から図３０に示されたように、本発明の拡散反射光を発生させる方法は、発光灯に基づいて、
Ａ．連結器２０により反射板１０を取外し可能に発光灯３０に固定する手順と、
Ｂ．更に引張装置４０により反射板１０を弾性的に前へ湾曲させて、拡散反射光線を集光する手順と、を含む。
手順Ｂでは、更に引張装置４０により反射板１０を縦方向、または横方向で弾性的に前へ湾曲させて、拡散反射光線を得ることができる。
【００２３】
反射板１０は以下の２つ方法により実施される。その１つ目として、反射板が中実板を用いた場合、その表面に複数の凹凸顆粒が配置されているため、反射板１０の反射に用いる片面は凹凸顆粒状を形成し、かつその表面に反射材料を被覆して拡散反射効果を増強している。反射板１０の靭性を増強するため、背面には増強板８２および／または増強リブ８３が設けられている。その２つ目として、反射板が透かし彫り板を用いた場合、その目的は、比較的大きい面積の反射板を必要とするとき、反射板１０の重さを効率的に軽くし、透かし彫り反射板を用いるとき、その反射面には反射薄膜１０１が塗布されており、透かし彫り反射板の靭性を増強するため、その背面の透かし彫られていない箇所には増強リブ８３および／または増強板８２が設けられている。
【００２４】
携帯性を向上させるため、反射板１０を更に折畳み式に設計することができる。即ち、反射板１０は少なくとも２つのブレード１１から構成されている。ブレード１１の折畳まれる部位は、ヒンジまたは軟性折畳み可能な材料により連結されている。折畳み式反射板１０が湾曲される際に、各ブレード１１は同一曲面に位置することができ、反射板１０の折畳み部位の端部には係止フック１３が更に設けられている。
本発明における前記連結器２０は、端部にナイロン製留金、粘着面、弾性係止ボタン、ワンタッチ式ボタンが設けられている結束バンドまたは伸縮帯にすることが可能であり、若しくは、締付構造、ワンタッチ式ネジにすることも可能である。
【００２５】
引張装置４０は、以下のような２つの方法により実施されている。その１つ目として、引張装置として半透明のソフトライトカバー４０４を用いた場合、その上端は反射板１０に連結または周回され、両側も反射板１０に連結または周回され、下端は前記連結器２０に連結されており、または反射板１０の外縁部に外嵌することも可能である。ソフトライトカバー４０４のサイズを変更するとき、例えば、ソフトライトカバー４０４が横方向に収縮および／または縦方向に収縮されるとき、反射板１０は異なる程度に湾曲され、それにより、等価発光面積が変更され、拡散反射効果が生じ、ソフト照明が発生することができる。その２つ目として、引張装置として造型帯４０５を用いた場合、造型帯４０５の一端は前記反射板１０の上部に連結および／または周回され、他端は前記連結器２０に連結されており、または該造型帯４０５の両端がそれぞれ前記反射板１０の両側に連結または周回されており、若しくは、造型帯４０５が反射板１０の外縁部に外嵌することも可能である。前記造型帯４０５の長さを調節することで、前記反射板１０が異なる程度に湾曲され、これにより、等価発光面積が変更され、拡散反射効果が生じることができる。ソフトライトカバー４０４または造型帯４０５が反射板１０の外縁部に外嵌するとき、反射板１０が湾曲して内部に向かう曲面を容易に形成するため、反射板１０の縁部には切欠き部が設けられ、該切欠き部は反射薄膜１０１により覆われている。
【００２６】
実際に応用する際に、反射板１０が拡散反射光の照射主方向を変更しようとする場合、このような変化を実現するため、前記手順Ａを実施するとき、反射板１０の根部と発光灯３０の間に連結角度調節装置９０を増設して、反射板１０と発光灯３０との連結時の連結角度γを調節し、これにより、反射板１０が灯光の照射主方向を変更することができる。実際応用において、前記連結角度調節装置９０としては楔形パッドを採択し、該パッドは断面が台形で、大きさが同様の矩形ブロック形状の２つのブロックにより構成され、該矩形ブロックの高さＭおよび／または上辺Ｌ、下辺Ｎの長さを調節する。即ち、反射板１０と発光灯３０の間の連結角度γを調整することができ、実際の応用において、需要により異なる大きさのブロックを切り替えて使用することができる。
【００２７】
本発明は上述の方法により拡散反射光発生装置を設計している。該装置は、異なる反射板１０、連結器２０、及び引張装置４０利用することにより、複数の実施方法を有する。下記では図１から図３２を用いて詳しく説明する。
本発明の拡散反射光発生装置は、発光灯３０と、前記発光灯３０の光線を反射する反射板１０と、反射板１０と前記発光灯３０を一体に連結する連結器２０と、前記反射板１０を弾性的に前へ湾曲させる引張装置４０と、全体の拡散反射光発生装置を支える装置または取付けフレームとされる第１固定支持フレーム２０１と、を含む。反射板１０として中実板または透かし彫り板を用いる場合、円形、楕円形、及び多角形の形状を用いることが可能であり、楕円形または多角形が好ましい。反射板１０としては弾性を有する金属板、プラスチック板、及び繊維板を用いることが可能であり、金属板が好ましい。図２１及び図２２に示すように、反射板１０として中実板を用いる場合、反射板１０の弾力と靭度を増加させるため、反射板１０の背面に増強板８２および／または増強リブ８３を増設することが可能である。反射板１０の反射面に反射材料を被覆させて拡散反射面を形成することが可能であり、更には、拡散反射効果を増強させるため、その反射面に凹凸顆粒を設けることで、反射板１０の表面を凹凸形状に形成させることも可能である。図１８、図１９、図２３、及び図２４に示すように、反射板１０として透かし彫り板を用いる場合、反射板１０の弾性と靭度を増加させるため、透かし彫り反射板１０の背面の透かし彫られていない箇所にも増強リブ８３および／または増強板８２を設ける。透かし彫り反射板の表面に反射層を取り付けることは容易ではないため、その表面に反射薄膜１０１または表面に凹凸顆粒を有する反射薄膜１０１を粘着させることも可能である。
【００２８】
本発明の拡散反射光発生装置において、反射板１０が透かし彫り板であることが好ましい。これにより、反射板１０の重さが軽くなり、本発明の装置も更に軽量になる。携帯性を高めるため、図１８〜図２０、図２３、及び図２４に示すように、反射板１０として折畳み式板を採択したほうが好ましい。実際に応用する際に、折畳み式板は折畳み数を必要とし、少なくとも２つのブレード１１を含み、ブレードを２つ有することが好ましく、その折畳み部位はヒンジまたは軟性折畳み可能材料により連結されている。
【００２９】
連結器２０は、発光灯３０と反射板１０を一体に連結する装置であり、端部にナイロン製留金、粘着面、弾性係止ボタン、ワンタッチ式ボタンが設けられている結束バンドまたは伸縮帯を採用するか、または、締付構造、ワンタッチ式ネジを採用することが可能である。図２８に示すように、連結器２０は端部に粘着面が設けられている結束バンドを用いて実現され、図２９はワンタッチ式ネジ構造を用いた場合での連結器を示している。
引張装置４０は、ソフトライトカバー４０４または造型帯４０５を用いて実現される。
【００３０】
図２５乃至図２７は、本発明のソフトライトカバーを示している。ソフトライトカバー４０４の周縁部には開口された中空位置決め縁条４０４１が設けられ、その内部には引張帯４０４２が貫通されており、前記引張帯４０４２の両端は中空位置決め縁条４０４１の開口部で連結される。引張帯４０４２としては、伸縮帯、粘着係止帯、及び縄にすることが可能であり、伸縮帯が好ましい。
【００３１】
図１乃至図５は、本発明の拡散反射光発生装置の好ましい１つの実施方式を示している。本実施方式では、透かし彫り反射板１０、半透明ソフトライトカバー４０４、端部が粘着面の結束バンド形式である連結器２０、楔形パッド９２が矩形ブロックである連結角度調節装置９０、第１固定支持フレーム２０１により実施される。立体構造を示す図３０のように、楔形パッド９２は前記発光板１０根部と発光灯３０の間に設けられ、該楔形パッドは、断面が台形になる２つの矩形ブロックから構成されている。連結器２０とされる結束バンドは、反射板１０底部の２つの隙間（図１８から図２４に具体的に隙間を示し、実際の応用状況に基づいて２つの孔を利用することができる）を貫通し後、反射板１０の根部と発光灯３０、第１固定支持フレーム２０１を共に堅固に結束する。引張装置として、ソフトライトカバー４０４の上端は反射板１０に連結または周回され、両側も反射板１０に連結または周回されており、本実施例は、装着方式によりソフトライトカバー４０４を反射板１０に被覆している。周縁部の開口された中空位置決め縁条４０４１内に挿入されている引張帯４０４２は開口部で連結されており、引張帯４０４２の緩さを調整することで、反射板１０が弾性的に前へ湾曲して湾曲面を形成することができ、反射板１０が異なる程度で湾曲されたとき、等価発光面積を変えることができる。ソフトライトカバー４０４は、ソフトライトカバー４０４の下部に位置する連結粘着ボタン４０６を更に含み、該連結粘着ボタン４０６は、連結器２０に粘着して固定されて、ソフトライトカバー４０４の下部を固定し、かつ、反射板１０を引っ張ることができる。該連結粘着ボタン４０６が可動であるため、該連結器２０に粘着されている連結粘着ボタン４０６の高低位置により反射板１０の湾曲面の湾曲程度を調節することができる。該連結粘着ボタン４０６は、粘着ボタン、押しボタン、鈎ボタンまたは締め帯を用いて実現されることができる。本発明の１つ実施方式において、反射板１０は、折畳み可能の透かし彫り反射板を利用し、反射板を引っ張って湾曲させるとき、各ブレード１１は同一曲面に位置し、反射板１０の折畳み端部に係止めフック１３を設けることができ、該係止めフック１３は図１８から図２０に示されている。図３０に示すように、楔形パッド９２は入れ替え可能で、反射板１０と発光灯３０の間の連結角度γ（該角度を図４に示す）の調整が必要なとき、上辺Ｌ、下辺Ｎと高さＭが異なる梯形ブロクを用いて実現することができる。
【００３２】
図６から図９は、本発明の拡散反射光発生装置の好ましいもう一つの実施方式を示している。本実施方式では、透かし彫り反射板１０、造型帯４０５、端部に貼着面を有する結束バンド形式の連結器２０、楔形パッド９２は前記実施例と同じく矩形ブロックである連結角度調節装置９０、第１固定支持フレーム２０１により実施される。反射板１０と連結器２０、第１固定支持フレーム２０１の連結方式、及び連結角度調節装置９０の調節方式は、前記の実施方式と同様であり、引張装置４０の使用方式が異なっている。該方式は、反射板１０を縦方向に湾曲する方式であり、造型帯４０５の両端には、連結器２０の対向する両側に粘着して固定されており、中央部は反射板１０の上部を覆っている。反射板１０の上部を覆う造型帯４０５の滑りを防止するため、反射板１０の上部の両側に２つ凹部を更に設けて造型帯４０５を係止する。前記１つ目の実施方式のソフトライトカバー４０４の下部に設けられている連結粘着ボタン４０６１と同様に、造型帯４０５の両端は位置決め粘着ボタン４０７を含み、該位置決め粘着ボタン４０７は前記連結器２０に粘着されて、造型帯４０５を固定し、これにより、連結器２０での前記位置決め粘着ボタン４０７の高低位置を調節することも可能になり、反射板１０の湾曲程度を調節することも可能になる。反射板１０が一定程度湾曲された場合、等価発光面積を変更することができ、更に、異なる長さの造型帯を使用しても反射板１０の湾曲程度を調節することができる。該位置決め粘着ボタン４０７としては、粘着ボタン、押しボタン、鈎ボタンまたは締め帯を用いることが可能である。図１４から図１７は、引張装置として造型帯を用いた１つの実施方式を示しており、該方式は反射板１０を横方向に湾曲させる方式であり、造型帯４０５は横方向に反射板１０の中央部を縛っており、造型帯４０５の長さを調整することで、即ち、反射板１０の横方向の湾曲程度を調整することで、前記と同様に等価発光面積を変更することができる。
【００３３】
図１０から図１３は、引張装置としてソフトライトカバー４０４を用いることを示している。反射板１０としては、楕円形の透かし彫り反射板を用いており、引張装置で引っ張ることにより、楕円形の反射板の両側を前へ湾曲させて湾曲面を形成している。
図３１と図３２を参照しながら、本発明の装置の等価発光面積の変化を説明する。Ｒは反射板１０の中心法線を示し、Ｓは反射板１０の正投影面積（即ち、本発明の装置の等価発光面積）を示し、角度αは反射板１０の中心法線Ｒと地面または光源の発光平面との間の角度を示している。ソフトライトカバー４０４を調節することで、角度αが変化し、図３１に示された角度αが図３２に示された角度αに変更されたとき、反射板１０の湾曲面が異なる程度で変化し、反射板１０の拡散反射光の照射主方向を調節することができ、本発明の装置の等価発光面積Ｓも変化される。これは従来技術のランプボックス、反射光とソフトライトでは有していない効果である。
【００３４】
同じく、引張装置として造型帯４０５を用いる場合、ソフトライトカバー４０４で反射板１０の湾曲程度を調節することと同様に、角度αが変化されており、即ち、反射板１０の拡散反射光の照射主方向を調節すると同時に、等価発光面積Ｓも調節されることができ、即ち、本発明の装置は等価発光面積を調整して、異なる状況での使用に適切することができる。
【００３５】
図３３から図３７には、固定支持フレーム形式を利用して前記拡散反射光発生造型装置を固定する好ましい実施方式が示されている。前記の実施方式と異なる点として、該固定支持フレームは第２固定支持フレーム２０２を用い、前記連結器２０は前記第２固定支持フレーム２０２と発光灯３０を一体に固接し、前記第２固定支持フレーム２０２の一端はＬ字型フックであり、前記反射板１０の中央部に挿入されて、前記反射板１０の中央部に取外し可能に固定されている。前記反射板１０の縁部には切欠き部が設けられ、切欠き部は反射薄膜１０１により覆われている。前記連結器２０と前記発光灯３０の間には発光灯パッド２０３が更に設けられている。前記連結器２０と前記反射板１０の間には位置決めパッド２０４が更に設けられている。該実施方式において、引張装置４０はソフトライトカバー４０４を用いて反射板１０の外縁部に外嵌（造型帯４０５を用いて反射板１０の外縁部に外嵌することも可能）し、ソフトライトカバー４０４の縁部の引張帯４０４２（または造型帯４０５の長さの調節）を通じて発光板１０の湾曲変化を実現する。具体的な実施方式は前記の好ましい実施方式と同様である。このような実施方式によれば、連結角度調節装置を設けなくても、ソフトライトカバー４０４の収縮または異なるサイズのソフトライトカバー４０４（または造型帯４０５の長さを調節する）により、発光板１０の湾曲程度の変化させることができる。
【００３６】
以上の内容は、本発明の具体的な好ましい実施方式による本発明に対する詳細な説明であり、本発明の具体的な実施はこれらの説明に限らない。当業者は、本発明の構想から離れていない前提で、若干の簡単な推測または設計変更を行なっても、本発明の保護範囲に属すべきである。
【図１】
0005580474.tif 000002
【図２】
0005580474.tif 000003
【図３】
0005580474.tif 000004
【図４】
0005580474.tif 000005
【図５】
0005580474.tif 000006
【図６】
0005580474.tif 000007
【図７】
0005580474.tif 000008
【図８】
0005580474.tif 000009
【図９】
0005580474.tif 000010
【図１０】
0005580474.tif 000011
【図１１】
0005580474.tif 000012
【図１２】
0005580474.tif 000013
【図１３】
0005580474.tif 000014
【図１４】
0005580474.tif 000015
【図１５】
0005580474.tif 000016
【図１６】
0005580474.tif 000017
【図１７】
0005580474.tif 000018
【図１８】
0005580474.tif 000019
【図１９】
0005580474.tif 000020
【図２０】
0005580474.tif 000021
【図２１】
0005580474.tif 000022
【図２２】
0005580474.tif 000023
【図２３】
0005580474.tif 000024
【図２４】
0005580474.tif 000025
【図２５】
0005580474.tif 000026
【図２６】
0005580474.tif 000027
【図２７】
0005580474.tif 000028
【図２８】
0005580474.tif 000029
【図２９】
0005580474.tif 000030
【図３０】
0005580474.tif 000031
【図３１】
0005580474.tif 000032
【図３２】
0005580474.tif 000033
【図３３】
0005580474.tif 000034
【図３４】
0005580474.tif 000035
【図３５】
0005580474.tif 000036
【図３６】
0005580474.tif 000037
【図３７】
0005580474.tif 000038